(57)【特許請求の範囲】
【請求項１】
着用者からの排泄物を受ける吸収性物品であって、
前方部、股下部および後方部を長手方向に順に有する略シート状の本体部と、
前記本体部の両側部上において前記長手方向に沿って設けられ、前記本体部から起立する一対の側壁部と、
を備え、
前記一対の側壁部が、破断することにより一対の開口を形成する一対の破断線を有し、前記本体部上に取り付けられる補助吸収具の後方両側部が前記一対の開口に挿入されることを特徴とする吸収性物品。
【請求項２】
請求項１に記載の吸収性物品であって、
前記一対の破断線の周囲の部位に、熱または超音波の付与を伴う加圧処理が施されていることを特徴とする吸収性物品。
【請求項３】
請求項１または２に記載の吸収性物品であって、
前記一対の破断線の周囲の部位の色が、前記一対の側壁部の他の部位の色と異なることを特徴とする吸収性物品。
【請求項４】
請求項１ないし３のいずれかに記載の吸収性物品であって、
前記一対の破断線が非貫通の切り込み線であることを特徴とする吸収性物品。
【請求項５】
請求項１ないし４のいずれかに記載の吸収性物品であって、
前記一対の側壁部が、破断することにより他の一対の開口を形成する他の一対の破断線を有し、前記補助吸収具の前方両側部が前記他の一対の開口に挿入されることを特徴とする吸収性物品。
【請求項６】
請求項１ないし５のいずれかに記載の吸収性物品であって、
前記後方部の両側部に取り付けられ、前記前方部の外面に止着される一対の止着テープをさらに備えることを特徴とする吸収性物品。
【発明の詳細な説明】
【技術分野】
【０００１】
本発明は、着用者からの排泄物を受ける吸収性物品に関する。
【背景技術】
【０００２】
従来より、使い捨ておむつ等の吸収性物品では、両側部に着用者に向かって起立する一対の側壁部（いわゆる、立体ギャザー）が設けられており、これにより、尿等の排泄物が吸収性物品の側方から漏れることが防止される。一方、使い捨ておむつでは、少量の排尿時であってもおむつ全体を交換する必要があるため、使用者にとって経済的な負担が大きくなってしまう。そこで、使い捨ておむつの内側において安価な補助吸収具（いわゆる、尿取りパッド等）により着用者の排泄部を覆い、排泄後に補助吸収具のみを交換することが行われている。
【０００３】
特許文献１の使い捨て吸収性物品では、長手方向に垂直な断面が略Ｔ字状である一対の側壁部間に補助吸収具が配置され、側壁部により補助吸収具が押さえられて固定される。特許文献２の吸収性物品では、左右方向の中央を向いて伏臥する一対の突出部が一対の側壁部の内側に長手方向に沿って設けられ、一対の突出部の間に配置されたインナーパッドの両側部が、突出部の内面に設けられた係止部材により固定される。また、特許文献３の使い捨て着用物品では、左右方向に伸びる伸縮性バンドが、使い捨て着用物品の前部および後部の内側に設けられる。伸縮性バンドは左右両端部が一対の側壁部に固着されており、使い捨て着用物品の表面シートと前後の伸縮性バンドとの間にインナーパッドの前部および後部を挿入することにより、インナーパッドが使い捨て着用物品上に固定される。
【先行技術文献】
【特許文献】
【０００４】
【特許文献１】特開２００８−３０７２２３号公報
【特許文献２】特許第３６１５７４６号公報
【特許文献３】特開２００６−１６７００４号公報
【発明の概要】
【発明が解決しようとする課題】
【０００５】
ところで、特許文献１の使い捨て吸収性物品では、一対の側壁部により補助吸収具を左右から単に挟んでいるのみであるため、補助吸収具の位置がずれたり、補助吸収具の角部が折れ曲がって着用感の低下や褥瘡を生じさせるおそれがある。また、近年、夜間用等の長時間用補助吸収具として、股下部に比べて前部および後部の幅が大きい砂時計型のものや後部の幅が股下部よりも大きい羽子板型のものが利用されており、このような形状の補助吸収具を取り付ける場合、補助吸収具の後部（および前部）において側方に突出する部位により吸収性物品の側壁部が押し潰されてしまい（すなわち、起立が阻害されてしまい）、尿等の漏出が生じてしまう可能性がある。
【０００６】
特許文献２の吸収性物品では、一対の側壁部間の距離よりも幅が小さい一対の突出部間の空間にインナーパッドを取り付けるため、取り付け可能なインナーパッドの幅が小さく、尿等を十分に吸収することができない。また、砂時計型や羽子板型のインナーパッドを取り付ける場合には、一対の突出部によりインナーパッドを固定することができないため、インナーパッドの位置ずれや角部の縒れが生じるおそれがある。また、吸収性物品の一対の側壁部の起立が、特許文献１の使い捨て吸収性物品と同様に、インナーパッドの側部により阻害されてしまう。
【０００７】
特許文献３の使い捨て着用物品では、インナーパッドの長手方向の両端部は伸縮性バンドにより押さえられていないため、インナーパッドの角部が折れ曲がってしまうおそれがある。また、伸縮性バンドの両端部が一対の側壁部に固定されるため、一対の側壁部間の距離よりも幅が大きいインナーパッド（例えば、砂時計型や羽子板型のインナーパッド）は伸縮性バンドと表面シートとの間に挿入することができない。仮に、砂時計型や羽子板型のインナーパッドを挿入したとすると、特許文献１の使い捨て吸収性物品と同様に、使い捨て着用物品の一対の側壁部の起立が阻害されてしまう。
【０００８】
本発明は、上記課題に鑑みなされたものであり、吸収性物品の側壁部の起立が補助吸収具により阻害されることを防止することを主な目的としている。また、吸収性物品の内部において補助吸収具が移動したり、補助吸収具の側部が縒れることを防止することも目的としている。
【課題を解決するための手段】
【０００９】
請求項１に記載の発明は、着用者からの排泄物を受ける吸収性物品であって、前方部、股下部および後方部を長手方向に順に有する略シート状の本体部と、前記本体部の両側部上において前記長手方向に沿って設けられ、前記本体部から起立する一対の側壁部とを備え、前記一対の側壁部が、破断することにより一対の開口を形成する一対の破断線を有し、前記本体部上に取り付けられる補助吸収具の後方両側部が前記一対の開口に挿入される。
【００１０】
請求項２に記載の発明は、請求項１に記載の吸収性物品であって、前記一対の破断線の周囲の部位に、熱または超音波の付与を伴う加圧処理が施されている。
【００１１】
請求項３に記載の発明は、請求項１または２に記載の吸収性物品であって、前記一対の破断線の周囲の部位の色が、前記一対の側壁部の他の部位の色と異なる。
【００１２】
請求項４に記載の発明は、請求項１ないし３のいずれかに記載の吸収性物品であって、前記一対の破断線が非貫通の切り込み線である。
【００１３】
請求項５に記載の発明は、請求項１ないし４のいずれかに記載の吸収性物品であって、前記一対の側壁部が、破断することにより他の一対の開口を形成する他の一対の破断線を有し、前記補助吸収具の前方両側部が前記他の一対の開口に挿入される。
【００１４】
請求項６に記載の発明は、請求項１ないし５のいずれかに記載の吸収性物品であって、前記後方部の両側部に取り付けられ、前記前方部の外面に止着される一対の止着テープをさらに備える。
【発明の効果】
【００１５】
本発明では、吸収性物品の側壁部の起立が補助吸収具により阻害されることを防止することができる。また、吸収性物品の内部において補助吸収具が移動したり、補助吸収具の側部が縒れることを防止することもできる。
【図面の簡単な説明】
【００１６】
【図１】第１の実施の形態に係る使い捨ておむつの平面図である。
【図２】使い捨ておむつの断面図である。
【図３】使い捨ておむつの斜視図である。
【図４】側壁部の側面図である。
【図５】補助吸収具の平面図である。
【図６】補助吸収具の断面図である。
【図７】使い捨ておむつの側面図である。
【図８】使い捨ておむつおよび補助吸収具の平面図である。
【図９】使い捨ておむつおよび補助吸収具の断面図である。
【図１０】第２の実施の形態に係る使い捨ておむつの側面図である。
【図１１】補助吸収具の平面図である。
【図１２】使い捨ておむつおよび補助吸収具の平面図である。
【図１３】関連技術に係る使い捨ておむつの側面図である。
【発明を実施するための形態】
【００１７】
図１は、本発明の第１の実施の形態に係る吸収性物品である使い捨ておむつ１を広げた状態にて示す平面図である。使い捨ておむつ１は、着用者の腹側に当接する部位と背側に当接する部位とを、左右両側の止着テープ４により腰周りで止着して着用するテープタイプの使い捨ておむつであり、着用者からの排泄物を受ける。図１では、着用時に着用者に接する側（すなわち、着用者側）の面を手前にして使い捨ておむつ１を描いている。
【００１８】
図２は、使い捨ておむつ１を図１中に示すＡ−Ａの位置で長手方向（すなわち、図１中における上下方向）に垂直な面で切断した断面図である。図１および図２に示すように、使い捨ておむつ１は、略シート状の本体部２、および、本体部２の両側部（すなわち、長手方向に垂直な左右方向の両側）上に配置されて本体部２の長手方向のおよそ全長に亘る一対のサイドシート３を備える。
【００１９】
本体部２の図１中における上側の部位２０１および下側の部位２０３はそれぞれ、着用者の腹側および背側の肌に接する部位であり、以下の説明では、「前方部２０１」および「後方部２０３」と呼ぶ。また、前方部２０１と後方部２０３との間において前方部２０１および後方部２０３から連続するとともに着用者の股間部に対向する部位２０２を「股下部２０２」と呼ぶ。使い捨ておむつ１では、本体部２が前方部２０１、股下部２０２および後方部２０３を長手方向に順に有し、前方部２０１および後方部２０３の幅が、股下部２０２の幅よりも大きい。換言すれば、本体部２は、平面視においていわゆる砂時計型である。
【００２０】
使い捨ておむつ１は、後方部２０３の両側部に取り付けられた一対の止着テープ４をさらに備える。使い捨ておむつ１が着用者に装着される際には、本体部２の前方部２０１および後方部２０３をそれぞれ着用者の腹側および背側に当接させた状態で、一対の止着テープ４が、図３に示すように、前方部２０１の外面（すなわち、着用者に接する面とは反対側の面）の被止着部２６に止着されることにより、後方部２０３の両側部が前方部２０１の両側部に接続される。
【００２１】
図１および図２に示すように、本体部２は、透液性のトップシート２１、撥水性または不透液性のバックシート２３、および、トップシート２１とバックシート２３との間に配置された吸収コア２２を備える。図２では、図示の都合上、使い捨ておむつ１の各構成を厚さ方向に離して描いている。また、図１では、図の理解を容易にするために、吸収コア２２の輪郭を太破線にて描いている。図１に示すように、前方部２０１および後方部２０３における吸収コア２２の幅は、股下部２０２における吸収コア２２の幅よりも大きい。換言すれば、吸収コア２２は、いわゆる砂時計型である。
【００２２】
図２に示すように、トップシート２１は、吸収コア２２の周りにおいてホットメルト接着剤を介してバックシート２３に接合される。また、サイドシート３の左右方向の外側の部位３１３（以下、「固定部３１３」という。）は、バックシート２３のトップシート２１から露出する部位、および、トップシート２１の左右方向のエッジ近傍の部位に、長手方向の全長に亘ってホットメルト接着剤を介して接合される。図１および図２に示すように、サイドシート３は、サイドシート本体３１、および、サイドシート本体３１の左右方向の内縁部である自由端にホットメルト接着剤により接合されて長手方向に伸びる弾性部材３２ａを備える。
【００２３】
本体部２の股下部２０２では、サイドシート３の左右方向の外縁近傍の部位において、長手方向に伸びる２本の弾性部材３２ｂが、サイドシート３の固定部３１３とバックシート２３とに挟まれてホットメルト接着剤により接合される。これらのホットメルト接着剤としては、ポリオレフィン系、ゴム系、酢酸ビニル系等のものが利用される。なお、トップシート２１とバックシート２３との接合やサイドシート３とトップシート２１との接合は、熱融着接合や超音波接合等により行われてもよい。
【００２４】
各サイドシート３の左右方向の内側の部位３１１（すなわち、固定部３１３の内側の部位であり、以下、「側壁部３１１」という。）は、長手方向の両端部を除いてトップシート２１（および他の構成）と非接合とされる。使い捨ておむつ１では、自由端に接合された弾性部材３２ａが収縮することにより、長手方向に沿って設けられた一対の側壁部３１１が、本体部２の両側部上において本体部２から着用者に向かって起立し、着用者の脚の付け根近傍に当接する一対の立体ギャザーとなる。また、弾性部材３２ｂが収縮することにより、サイドシート３およびバックシート２３が着用者側かつ内側に向かって立ち上がってレッグギャザーが形成され、使い捨ておむつ１の着用時に着用者の足の付け根近傍に密着する。
【００２５】
図１に示すように、本体部２の長手方向の両端部にはそれぞれ、トップシート２１とバックシート２３とに挟まれるとともに左右方向に伸びる３本の弾性部材２５が設けられる。使い捨ておむつ１では、伸張状態にてトップシート２１およびバックシート２３に接合された弾性部材２５が収縮することによりウエストギャザーが形成され、使い捨ておむつ１の着用時に本体部２が着用者の腰周りに密着する。使い捨ておむつ１では、弾性部材３２ａ，３２ｂ、並びに、弾性部材２５により本体部２が着用者に密着することにより、脚周りおよび腰周りからの尿等の漏出防止が図られている。
【００２６】
トップシート２１は、透液性のシート材料であり、着用者からの排泄物の水分を速やかに捕捉して吸収コア２２へと移動させる。トップシート２１は、例えば、表面を界面活性剤により親水処理した疎水性繊維（ポリプロピレン、ポリエチレン、ポリエステル、ポリアミド、ナイロン等）にて形成された透液性の不織布であり、当該不織布として、例えば、ポイントボンド不織布やエアスルー不織布、スパンボンド不織布が利用される。なお、トップシート２１として、セルロースやレーヨン、コットン等の親水性繊維により形成された不織布（例えば、スパンレース不織布）が利用されてもよい。
【００２７】
吸収コア２２は、粉砕したパルプ繊維やセルロース繊維等の親水性繊維に粒状の高吸収性ポリマー（ＳＡＰ（Super Absorbent Polymer））や高吸収性ファイバー等の高吸収性材料を混合したものをティッシュペーパーや透液性不織布等により包み込んで形成され、トップシート２１を透過した水分を吸収して迅速に固定する。親水性繊維を包むティッシュペーパーや透液性不織布等は、親水性繊維および吸水性材料とホットメルト接着剤により接合されて、親水性繊維の型崩れ、および、吸水性材料の脱落（特に、吸水後における脱落）を防止する。本実施の形態では、吸収コア２２はパルプ繊維およびＳＡＰを含む。
【００２８】
バックシート２３としては、疎水性繊維にて形成された撥水性または不透液性の不織布（例えば、スパンボンド不織布やメルトブロー不織布、ＳＭＳ（スパンボンド・メルトブロー・スパンボンド）不織布）や、撥水性または不透液性のプラスチックフィルム、あるいは、これらの不織布とプラスチックフィルムとが積層された積層シートが利用され、バックシート２３に到達した排泄物の水分等が、本体部２の外側にしみ出すことが防止される。バックシート２３にプラスチックフィルムが利用される場合、使い捨ておむつ１のムレを防止して着用者の快適性を向上するという観点からは、透湿性（通気性）を有するプラスチックフィルムが利用されることが好ましい。
【００２９】
サイドシート本体３１としては、例えば、疎水性繊維にて形成された撥水性または不透液性の不織布（スパンボンド不織布やメルトブロー不織布、ＳＭＳ不織布等）が利用される。弾性部材３２ａ，３２ｂ，２５としては、例えば、ポリウレタン糸、帯状のポリウレタンフィルム、糸状または帯状の天然ゴム等が利用され、本実施の形態では、ポリウレタン糸が各弾性部材として利用される。
【００３０】
図４は、後方部２０３における一方の側壁部３１１、および、その近傍の部位を拡大して示す側面図である。他方の側壁部３１１の構造は図４に示すものと同様である。一対の側壁部３１１は、本体部２の後方部２０３の上方において長手方向に伸びる一対の直線状の破断用の線である破断線３１５ａを有する。各破断線３１５ａは、長手方向に断続的に形成された複数の直線状の切り込み３１６を有するミシン目であり、各切り込み３１６は側壁部３１１を貫通しないように形成されている。換言すれば、一対の破断線３１５ａは、複数の切り込み３１６を有する非貫通の切り込み線である。本実施の形態では、破断線３１５ａの長手方向の長さは２００ｍｍ〜４００ｍｍであり、各切り込み３１６の長手方向の長さは０．５ｍｍ〜３ｍｍである。また、長手方向にて隣接する各２つの切り込み３１６の間の距離（すなわち、非切り込み部の長さ）は、０．５ｍｍ〜３ｍｍである。側壁部３１１の下端と破断線３１５ａとの間の厚さ方向の距離は、３５ｍｍ〜４５ｍｍである。
【００３１】
破断線３１５ａの周囲の部位３１７ａ（図４中において平行斜線を付す部位であり、以下、「破断線周囲部３１７ａ」という。）には、熱または超音波の付与を伴う加圧処理が施されており、これにより、破断線周囲部３１７ａが側壁部３１１の他の部位に比べて平滑化される。また、破断線周囲部３１７ａの色は、側壁部３１１の他の部位の色と異なっている。一対の側壁部３１１の内面（すなわち、他方の側壁部３１１に対向する面）および外面では、破断線周囲部３１７ａに撥水処理が施されている。本実施の形態では、破断線周囲部３１７ａに対して加熱を伴う加圧処理が施されることにより、破断線周囲部３１７ａの平滑化と着色（変色）とが同時に行われるため、使い捨ておむつ１の製造が簡素化される。なお、破断線３１５ａの形成と、破断線周囲部３１７ａの平滑化および着色は、どちらが先に行われてもよく、並行して行われてもよい。
【００３２】
図５は、使い捨ておむつ１の内側に取り付けられる補助吸収具７を示す平面図であり、図６は、補助吸収具７を図４中のＢ−Ｂの位置にて切断した断面図である。図５および図６に示すように、補助吸収具７は、略シート状の本体部７２、および、本体部７２の両側部上に配置されて本体部７２の長手方向のおよそ全長に亘る一対のサイドシート７３を備える。
【００３３】
本体部７２の図５中における上側の部位および下側の部位はそれぞれ、着用者の腹側および背側の肌に接する前方部７０１および後方部７０３であり、前方部７０１と後方部７０３との間において前方部７０１および後方部７０３から連続する部位は、着用者の股間部に対向する股下部７０２である。補助吸収具７では、本体部７２が前方部７０１、股下部７０２および後方部７０３を長手方向に順に有し、後方部７０３の幅が、股下部７０２および前方部７０１の幅よりも大きい。換言すれば、本体部７２は、平面視においていわゆる羽子板型である。以下の説明では、補助吸収具７の後方部７０３において、股下部７０２よりも左右方向に突出している部位を「後方側部７０４」という。
【００３４】
図５および図６に示すように、本体部７２は、透液性のトップシート７２１、撥水性または不透液性のバックシート７２３、および、トップシート７２１とバックシート７２３との間に配置された吸収コア７２２を備え、トップシート７２１とバックシート７２３とは吸収コア７２２の周囲にてホットメルト接着剤等により接合される。図６では、図示の都合上、補助吸収具７の各構成を厚さ方向に離して描いている。図５に示すように、後方部７０３における吸収コア７２２の幅は、本体部７２と同様に、股下部７０２および前方部７０１における吸収コア７２２の幅よりも大きい。すなわち、吸収コア７２２は、平面視においていわゆる羽子板型であり、図５では、図の理解を容易にするために、吸収コア７２２の輪郭を太破線にて描いている（図１１においても同様）。
【００３５】
トップシート７２１は、使い捨ておむつ１のトップシート２１と同様に、例えば、親水性繊維や親水処理された疎水性繊維にて形成された透液性の不織布であり、着用者からの排泄物の水分を速やかに捕捉して吸収コア７２２へと移動させる。吸収コア７２２は、使い捨ておむつ１の吸収コア２２と同様に、粉砕したパルプ繊維やセルロース繊維等の親水性繊維に粒状の高吸収性ポリマーや高吸収性ファイバー等の高吸収性材料を混合したものをティッシュペーパーや透液性不織布等により包み込んで形成され、トップシート７２１を透過した水分を吸収して迅速に固定する。
【００３６】
バックシート７２３は、使い捨ておむつ１のバックシート２３と同様に、例えば、疎水性繊維にて形成された撥水性または不透液性の不織布（例えば、スパンボンド不織布やメルトブロー不織布、ＳＭＳ不織布）や、撥水性または不透液性のプラスチックフィルム、あるいは、これらの不織布とプラスチックフィルムとが積層された積層シートが利用され、バックシート７２３に到達した排泄物の水分等が、本体部７２の外側にしみ出すことが防止される。バックシート７２３にプラスチックフィルムが利用される場合、補助吸収具７のムレを防止して着用者の快適性を向上するという観点からは、透湿性（通気性）を有するプラスチックフィルムが利用されることが好ましい。
【００３７】
各サイドシート７３の左右方向の外側の部位である固定部７３３は、本体部７２の側方エッジ近傍にホットメルト接着剤を介して固定される。固定部７３３の左右方向の内側において固定部７３３から連続する側壁部７３１は、長手方向の両端部を除いてトップシート７２１（および他の構成）と非接合とされる。補助吸収具７では、自由端に接合された弾性部材７３２が収縮することにより、長手方向に沿って設けられた一対の側壁部７３１が、本体部７２の両側部上において本体部７２から着用者に向かって起立し、着用者の脚の付け根近傍に当接する一対の立体ギャザーとなる。
【００３８】
サイドシート７３のシート本体としては、例えば、疎水性繊維にて形成された撥水性または不透液性の不織布（スパンボンド不織布やメルトブロー不織布、ＳＭＳ不織布等）が利用される。弾性部材７３２としては、例えば、ポリウレタン糸、帯状のポリウレタンフィルム、糸状または帯状の天然ゴム等が利用され、本実施の形態では、ポリウレタン糸が各弾性部材として利用される。
【００３９】
使い捨ておむつ１が使用される際には、各側壁部３１１の破断線３１５ａ（図４参照）が破断され、図７に示すように、側壁部３１１の本体部２から上方に離れた位置に開口３１０ａが形成される。続いて、図８および図９に示すように、使い捨ておむつ１の一対の側壁部３１１の間に補助吸収具７が配置される。図９は、使い捨ておむつ１および補助吸収具７を図８中のＣ−Ｃの位置にて切断した断面図である。図８に示すように、補助吸収具７の前方部７０１、股下部７０２および後方部７０３はそれぞれ、使い捨ておむつ１の前方部２０１、股下部２０２および後方部２０３上に位置し、図９に示すように、補助吸収具７のバックシート７２３は使い捨ておむつ１のトップシート２１に対向する。また、補助吸収具７の一対の側壁部７３１は、使い捨ておむつ１の一対の側壁部３１１の間にて着用者側へと起立する。
【００４０】
そして、図８および図９に示すように、補助吸収具７の左右両側の後方側部７０４（すなわち、後方両側部）が、使い捨ておむつ１の一対の側壁部３１１に形成された一対の開口３１０ａに左右方向の内側から挿入され、一対の側壁部３１１の左右方向の外側へと突出することにより、補助吸収具７が使い捨ておむつ１に取り付けられる。補助吸収具７では、後方側部７０４の付け根近傍の部位が、使い捨ておむつ１の開口３１０ａの周囲の部位に挟まれる。補助吸収具７の使い捨ておむつ１への取り付けが終了すると、使い捨ておむつ１の一対の止着テープ４が被止着部２６（図３参照）に止着されることにより、使い捨ておむつ１および補助吸収具７の着用者への装着が完了する。
【００４１】
上述のように、使い捨ておむつ１では、一対の側壁部３１１に一対の開口３１０ａが形成され、当該一対の開口３１０ａに補助吸収具７の左右の後方側部７０４が挿入されることにより、使い捨ておむつ１の側壁部３１１が補助吸収具７の後方側部７０４により押し潰されたり、側方へと押し広げられる（すなわち、側壁部３１１の起立が補助吸収具７により阻害される）ことを防止しつつ、補助吸収具７を使い捨ておむつ１に取り付けることができる。また、補助吸収具７の後方側部７０４が使い捨ておむつ１の側壁部３１１に固定されるため、使い捨ておむつ１の内部において補助吸収具７が所定の位置から移動して（すなわち、ずれて）しまったり、補助吸収具７の後方側部７０４が着用者の動き等により縒れてしまうことを防止することができる。
【００４２】
使い捨ておむつ１では、ギャザー状の各側壁部３１１において、破断線周囲部３１７ａに熱または超音波の付与を伴う加圧処理が施されて平滑化されることにより、開口３１０ａを形成する際の破断線３１５ａの破断を容易とすることができる。また、破断線周囲部３１７ａの強度を向上し、破断線３１５ａの意図しない破断を防止することができる。各側壁部３１１では、破断線周囲部３１７ａの色が側壁部３１１の他の部位の色と異なることにより、破断線３１５ａの位置を容易に視認することができる。さらに、破断線周囲部３１７ａに撥水処理が行われることにより、万一尿等の排泄物が補助吸収具７の側壁部７３１の外側へ漏出した場合であっても、当該排泄物が使い捨ておむつ１の側壁部３１１の破断線周囲部３１７ａに付着することを抑制し、開口３１０ａの縁部と補助吸収具７の後方側部７０４との境界から排泄物が漏出することを抑制することができる。
【００４３】
側壁部３１１では、各切り込み３１６の長手方向の長さが０．５ｍｍ〜３ｍｍであり、長手方向にて隣接する各２つの切り込み３１６の間の距離が０．５ｍｍ〜３ｍｍである。これにより、開口３１０ａを形成する際の破断線３１５ａの破断を容易とすることができるとともに、破断線３１５ａの意図しない破断を防止することができる。また、側壁部２８１の下端と破断線３１５ａとの間の厚さ方向の距離が３５ｍｍ〜４５ｍｍであるため、補助吸収具７の後方側部７０４が、開口３１０ａに挿入されることにより使い捨ておむつ１上に僅かに持ち上がる。これにより、万一尿等の排泄物が補助吸収具７の側壁部７３１の外側へ漏出した場合であっても、当該排泄物が側壁部３１１の開口３１０ａに向かって流れることを抑制し、開口３１０ａの縁部と補助吸収具７の後方側部７０４との境界から排泄物が漏出することを抑制することができる。
【００４４】
上述のように、使い捨ておむつ１では、側壁部３１１に破断線３１５ａが設けられ、補助吸収具７の取り付けの際に破断線３１５ａが破断されて開口３１０ａが形成されるが、補助吸収具７を取り付けずに使い捨ておむつ１を単独で使用する場合や、後方側部７０４を有しない略矩形状の補助吸収具を使い捨ておむつ１に取り付けて使用する場合等には、破断線３１５ａの破断は行われず、側壁部３１１に開口は形成されない。このため、一対の側壁部３１１の開口から排泄物が外部へと漏出してしまうことが防止される。また、破断線３１５ａが非貫通の切り込み線であることにより、尿等の排泄物が破断線３１５ａを透過して外部へと漏出してしまうことが防止される。さらに、破断線周囲部３１７ａに撥水処理が行われることにより、尿等の排泄物が破断線周囲部３１７ａに付着することが抑制され、排泄物が破断線３１５ａを透過して外部へと漏出してしまうことがより一層防止される。
【００４５】
上述の使い捨ておむつ１における側壁部３１１の構造は、上端に胴部開口を有するとともに下部に一対の脚部開口を有するパンツタイプの使い捨ておむつに適用されてもよく、複数の補助吸収具を積層して使用する場合には、これらの補助吸収具に適用されてもよい。ただし、上記側壁部３１１の構造は、比較的大型の補助吸収具が取り付けられ、また、補助吸収具の交換が比較的頻繁に行われることが多いテープタイプの使い捨ておむつに特に適している。
【００４６】
次に、本発明の第２の実施の形態に係る使い捨ておむつについて説明する。図１０は、第２の実施の形態に係る使い捨ておむつ１ａの一方の側壁部３１１、および、その近傍の部位を示す側面図である。使い捨ておむつ１ａでは、一対の側壁部３１１が、一対の破断線３１５ａに加えて、本体部２の前方部２０１の上方において長手方向に伸びる一対の直線状の破断線３１５ｂを有する。その他の構造は、図１ないし図３に示す使い捨ておむつ１と同様であり、以下の説明では、使い捨ておむつ１ａの対応する構成に同符号を付す。
【００４７】
各破断線３１５ｂは、破断線３１５ａと同様に、複数の切り込み３１６を有する非貫通の切り込み線である。本実施の形態では、破断線３１５ｂの長手方向の長さ、各切り込み３１６の長手方向の長さ、長手方向にて隣接する各２つの切り込み３１６の間の距離、および、側壁部３１１の下端と破断線３１５ｂとの間の厚さ方向の距離はそれぞれ、破断線３１５ａと同様に、２００ｍｍ〜４００ｍｍ、０．５ｍｍ〜３ｍｍ、０．５ｍｍ〜３ｍｍ、および、３５ｍｍ〜４５ｍｍである。
【００４８】
破断線３１５ｂの周囲の破断線周囲部３１７ｂには、破断線周囲部３１７ａと同様に、熱または超音波の付与を伴う加圧処理が施されており、これにより、破断線周囲部３１７ｂが側壁部３１１の他の部位に比べて平滑化される。また、破断線周囲部３１７ｂの色は、側壁部３１１の他の部位の色と異なっている。さらに、破断線周囲部３１７ｂには撥水処理が施されている。
【００４９】
図１１は、使い捨ておむつ１ａの内側に取り付けられる補助吸収具７ａを示す平面図である。補助吸収具７ａは、平面視における形状が異なる点を除いて図５および図６に示す補助吸収具７と同様の構造を有する。以下の説明では、補助吸収具７ａの対応する構成に同符号を付す。補助吸収具７ａの前方部７０１および後方部７０３の幅は、股下部７０２の幅よりも大きい。また、前方部７０１および後方部７０３における吸収コア７２２の幅は、股下部７０２における吸収コア７２２の幅よりも大きい。換言すれば、補助吸収具７ａの本体部７２および吸収コア７２２は、平面視においていわゆる砂時計型である。以下の説明では、補助吸収具７ａの前方部７０１において、股下部７０２よりも左右方向に突出している部位を「前方側部７０５」という。
【００５０】
図１０に示す使い捨ておむつ１ａが使用される際には、各側壁部３１１の破断線３１５ａ，３１５ｂが破断され、各側壁部３１１に２つの開口が形成される。そして、第１の実施の形態と同様に、使い捨ておむつ１ａの一対の側壁部３１１の間に補助吸収具７ａが配置され、図１２に示すように、補助吸収具７ａの左右両側の後方側部７０４および前方側部７０５（すなわち、後方両側部および前方両側部）が、使い捨ておむつ１ａの一対の側壁部３１１の後方部に形成された一対の開口３１０ａ、および、前方部に形成された他の一対の開口３１０ｂに内側から挿入され、一対の側壁部３１１の外側へと突出することにより、補助吸収具７ａが使い捨ておむつ１ａに取り付けられる。補助吸収具７ａでは、後方側部７０４の付け根近傍の部位が開口３１０ａの周囲の部位に挟まれ、前方側部７０５の付け根近傍の部位が開口３１０ｂの周囲の部位に挟まれる。
【００５１】
使い捨ておむつ１ａでは、側壁部３１１の開口３１０ａ，３１０ｂに補助吸収具７ａの後方側部７０４および前方側部７０５が挿入されることにより、使い捨ておむつ１ａの側壁部３１１の起立が、補助吸収具７ａの後方側部７０４および前方側部７０５により阻害されることを防止しつつ、補助吸収具７ａを使い捨ておむつ１ａに取り付けることができる。また、補助吸収具７ａの後方側部７０４および前方側部７０５が使い捨ておむつ１ａの側壁部３１１に固定されるため、使い捨ておむつ１ａの内部において補助吸収具７ａが所定の位置から移動して（すなわち、ずれて）しまったり、補助吸収具７ａの後方側部７０４および前方側部７０５が着用者の動き等により縒れてしまうことを防止することができる。
【００５２】
使い捨ておむつ１ａでは、ギャザー状の各側壁部３１１において、破断線周囲部３１７ａ，３１７ｂに熱または超音波の付与を伴う加圧処理が施されて平滑化されることにより、開口３１０ａ，３１０ｂを形成する際の破断線３１５ａ，３１５ｂの破断を容易とすることができる。また、破断線周囲部３１７ａ，３１７ｂの強度を向上し、破断線３１５ａ，３１５ｂの意図しない破断を防止することができる。各側壁部３１１では、破断線周囲部３１７ａ，３１７ｂの色が側壁部３１１の他の部位の色と異なることにより、破断線３１５ａ，３１５ｂの位置を容易に視認することができる。さらに、破断線周囲部３１７ａ，３１７ｂに撥水処理が行われることにより、万一尿等の排泄物が補助吸収具７ａの外側へ漏出した場合であっても、当該排泄物が使い捨ておむつ１ａの側壁部３１１の破断線周囲部３１７ａ，３１７ｂに付着することを抑制し、開口３１０ａ，３１０ｂの縁部と補助吸収具７ａの後方側部７０４および前方側部７０５との境界から排泄物が漏出することを抑制することができる。
【００５３】
次に、本発明の関連技術に係る使い捨ておむつについて説明する。図１３は、関連技術に係る使い捨ておむつ１ｂの一方の側壁部３１１、および、その近傍の部位を示す側面図である。使い捨ておむつ１ｂでは、一対の側壁部３１１が、第１の実施の形態に係る使い捨ておむつ１の一対の破断線３１５ａに代えて一対の開口３１０ｃを有する。開口３１０ｃは、図７に示す開口３１０ａと同様の大きさである。その他の構造は、図１ないし図３に示す使い捨ておむつ１と同様であり、以下の説明では、使い捨ておむつ１ｂの対応する構成に同符号を付す。
【００５４】
使い捨ておむつ１ｂが使用される際には、第１の実施の形態と同様に、補助吸収具７の左右両側の後方側部７０４（図５参照）が、使い捨ておむつ１ｂの一対の側壁部３１１に設けられた一対の開口３１０ｃに左右方向の内側から挿入され、一対の側壁部３１１の左右方向の外側へと突出する。これにより、使い捨ておむつ１ｂの側壁部３１１の起立が補助吸収具７の後方側部７０４により阻害されることを防止しつつ、補助吸収具７を使い捨ておむつ１ｂに取り付けることができる。また、使い捨ておむつ１ｂの内部において補助吸収具７が所定の位置から移動してしまったり、補助吸収具７の後方側部７０４が着用者の動き等により縒れてしまうことを防止することができる。
【００５５】
使い捨ておむつ１ｂでは、側壁部３１１に初めから開口３１０ｃが設けられているため、使い捨ておむつ１ｂの使用時に破断線を破断する等の作業を行う必要がなく、使い捨ておむつ１ｂへの補助吸収具７の取り付け作業を簡素化することができる。使い捨ておむつ１ｂでは、各側壁部３１１に前後２つの開口が設けられてもよい。
【００５６】
以上、本発明の実施の形態および関連技術について説明してきたが、上述の使い捨ておむつは様々な変更が可能である。
【００５７】
例えば、第２の実施の形態に係る使い捨ておむつ１ａでは、各側壁部３１１において、後方部の破断線３１５ａと前方部の破断線３１５ｂとが連続していてもよい。すなわち、側壁部３１１の前方部から後方部に至る長い１本の破断線が設けられ、当該破断線の前方部および後方部が破断されて２つの開口が形成されてもよい。
【００５８】
上述の使い捨ておむつでは、破断線３１５ａ，３１５ｂの形状は、必ずしも直線状には限定されず、例えば、楕円形や矩形の開口の輪郭となる周状であってもよい。また、破断線は、長手方向に配列された円形等の複数の微小凹部であってもよく、１本の直線状の切り込みであってもよい。さらに、破断線周囲部に対する撥水処理等により破断線からの液体の漏出が防止されるのであれば、破断線は側壁部３１１を貫通するものであってもよい。上述の使い捨ておむつは、側壁部７３１を有しない補助吸収具が取り付けられて使用されてもよい。
【符号の説明】
【００５９】
１，１ａ，１ｂ    使い捨ておむつ
２    本体部
４    止着テープ
７，７ａ    補助吸収具
２０１    前方部
２０２    股下部
２０３    後方部
３１０ａ，３１０ｂ，３１０ｃ    開口
３１１    側壁部
３１５ａ，３１５ｂ    破断線
３１７ａ，３１７ｂ    破断線周囲部
７０４    後方側部
７０５    前方側部
【図１】
0005480001.tif 000002
【図２】
0005480001.tif 000003
【図３】
0005480001.tif 000004
【図４】
0005480001.tif 000005
【図５】
0005480001.tif 000006
【図６】
0005480001.tif 000007
【図７】
0005480001.tif 000008
【図８】
0005480001.tif 000009
【図９】
0005480001.tif 000010
【図１０】
0005480001.tif 000011
【図１１】
0005480001.tif 000012
【図１２】
0005480001.tif 000013
【図１３】
0005480001.tif 000014